(57)【要約】【課題】ラップフィルムの切断部分がカートン本体内に折り返るように引き込まれても、ラップフィルムの切断部分の少なくとも一部がフィルム巻き体に貼り付かないようにし、切断部分がカートン本体内に折り返されたときの引き出しが容易に行なえるようにする。【解決手段】後面部４からフィルム巻き体Ａの頂部を経て前面部３側に延設された巻き戻り受け用フラップ１６を設けた。【選択図】      図１
2005029209.tif 000002
【特許請求の範囲】
【請求項１】
有底にして上面部が開口した横長のカートン本体に、巻き芯にラップフィルムを巻いたフィルム巻き体が収納され、前記カートン本体の後面部に連接されてカートン本体の前記上面部を開閉可能に覆う蓋体に、カートン本体の前面部に重なる垂れ壁部が連接され、フィルム引き出し時にフィルム巻き体が回転して、前面部の上端を介してフィルム巻き体から引き出されたラップフィルムが、上面部を蓋体で閉じたときに蓋体の前記垂れ壁部と前面部との間に位置し、垂れ壁部の下端に亘って設けた切断刃によってラップフィルムを切断可能とするラップフィルムの収納カートンにおいて、
後面部からフィルム巻き体の頂部を経て前面部側に延設された巻き戻り受け用フラップを有することを特徴とするラップフィルム収納カートン。
【請求項２】
上記巻き戻り受け用フラップは、上記蓋体を外方に向けて凸となるように型押しして蓋体のフィルム巻き体収納空間側に形成された凹陥部に配置される請求項１に記載のラップフィルム収納カートン。
【請求項３】
上部巻き戻り受け用フラップの基端に、この巻き戻り受け用フラップをフィルム巻き体側に付勢する付勢手段が設けられている請求項１又は２に記載のラップフィルム収納カートン。
【発明の詳細な説明】
【技術分野】
【０００１】
本発明はラップフィルムを収納した収納カートンに関するものである。
【背景技術】
【０００２】
従来からラップフィルムは食品を直接包み込んだり、食品を盛った皿に被せたりするなどのように簡易保存のための包装目的に一般家庭で広く使用されている。そして、ラップフィルムは巻き芯に巻いたフィルム巻き体の形態とされ、流通や一般家庭での保管が衛生的なものとなるように細長の箱体に収められているのが通常であり、有底にして上面部が開口した横長のカートン本体にフィルム巻き体を収納するとともに、そのカートン本体の後面部に連接されてカートン本体の上面部を開閉可能に覆う蓋体に、カートン本体の前面部に重なる垂れ壁部を連接した形態が一般的である。
また、このラップフィルム収納カートンでは、ラップフィルムを引き出すときにフィルム巻き体がカートン本体内で回転し、前面部の上端を介してフィルム巻き体から引き出したラップフィルムを、閉じた蓋体の垂れ壁部と前面部との間に位置させて挟み込み、その後、カートン本体全体をひねるように回転させるなどすることによって垂れ壁部の下端に亘って設けた切断刃に鋭角に当てて切断しており、他の切断用具を用意することなくラップフィルムを必要長さに簡単に切断できるようにしていた。
このようにラップフィルム収納カートンではラップフィルムの切断が容易に行なえるものとなっているが、切断した後のカートン本体を取り扱う操作でフィルム巻き体が後面部側に転がり移動してフィルム巻き体側のラップフィルムの切断部分がカートン本体内へ引き戻されることがあり、そうなるとつぎのラップフィルムの引き出しが行い難くなることから、カートン本体の前面部の外表面に、ラップフィルムの切断部分を止め付けることができるようにした工夫が多く提案されている（例えば、特許文献１参照）。
【特許文献１】特開平０６−２４７４４２号公報（段落番号００１４、図１）
【発明の開示】
【発明が解決しようとする課題】
【０００３】
しかしながら、上述したカートン本体の前面部にフィルム止め付け手段を備えるものにあっても確実にラップフィルムの切断部分を前面部の外表面側に止め付けられるわけではなく、切断したときのカートンの取り扱い方によってはやはりカートン本体内に切断部分が引き込まれ、折り返るようにしてその切断部分がフィルム巻き体の頂部付近で貼り付いてしまい、この対策がなされていないことから、一旦貼り付いてしまうとつぎの引き出しが困難になるという問題が残っていた。
そこで本発明は上記事情に鑑み、ラップフィルムの切断部分がカートン本体内に折り返るように引き込まれても、ラップフィルムの切断部分の少なくとも一部がフィルム巻き体に貼り付かないようにすることを課題とし、切断部分がカートン本体内に折り返されたときの引き出しが容易に行なえるようにすることを目的とする。
【課題を解決するための手段】
【０００４】
本発明は上記課題を考慮してなされたもので、有底にして上面部が開口した横長のカートン本体に、巻き芯にラップフィルムを巻いたフィルム巻き体が収納され、前記カートン本体の後面部に連接されてカートン本体の前記上面部を開閉可能に覆う蓋体に、カートン本体の前面部に重なる垂れ壁部が連接され、フィルム引き出し時にフィルム巻き体が回転して、前面部の上端を介してフィルム巻き体から引き出されたラップフィルムが、上面部を蓋体で閉じたときに蓋体の前記垂れ壁部と前面部との間に位置し、垂れ壁部の下端に亘って設けた切断刃によってラップフィルムを切断可能とするラップフィルムの収納カートンにおいて、後面部からフィルム巻き体の頂部を経て前面部側に延設された巻き戻り受け用フラップを有することを特徴とするラップフィルム収納カートンを提供して、上記課題を解消するものである。
【０００５】
そして、本発明において、上記巻き戻り受け用フラップは、上記蓋体を外方に向けて凸となるように型押しして蓋体のフィルム巻き体収納空間側に形成された凹陥部に配置されるものとすることが良好である。また、上部巻き戻り受け用フラップの基端に、この巻き戻り受け用フラップをフィルム巻き体側に付勢する付勢手段が設けられていることが良好である。
【発明の効果】
【０００６】
本発明により、巻き戻り受け用フラップがフィルム巻き体の頂部の上に位置するようになり、仮にカートン本体内への引き込みによってラップフィルム切断部分の折り返しが生じても、その折り返し部分が確実に巻き戻り受け用フラップに重なることになり、つぎのラップフィルム引き出しに際しての摘み部分を簡単に確保でき、ラップフィルム切断時に切断部分の引き込みに注意を払うことなくその切断操作を行なえるようになるなど、実用性に優れた効果を奏するものである。
【発明を実施するための最良の形態】
【０００７】
つぎに本発明を図１から図１１に示す実施の形態に基づいて詳細に説明する。
図中１はラップフィルム収納カートンで、該ラップフィルム収納カートン１は、フィルム巻き体Ａを収納するために横長としたカートン本体２を前面部３と底面部４と後面部５と両端の側面部６とから構成して上面部７を開口したものとし、前記後面部５の上辺に上面部７を開閉可能に覆う蓋体８を連接し、さらにこの蓋体８に垂れ壁部９を連接して蓋体８が上面部７を閉じているときに垂れ壁部９が前記前面部３に重なるようにしている。
また、ラップフィルム収納カートン１では、フィルム引き出し時にカートン本体２のフィルム巻き体収納空間の内で１０フィルム巻き体Ａが回転して、前面部３の上端を介してフィルム巻き体ＡからラップフィルムＢが引き出され、上面部７を蓋体８で閉じたときには前記垂れ壁部９と前面部３との間にラップフィルムＢが位置し、垂れ壁部９を前面部３に重ねた状態のままラップフィルム収納カートン１全体をひねるように回転操作することでこのラップフィルムＢを切断することができるようにするために、垂れ壁部９の下端に亘って切断刃１１が取り付けられている。
さらにラップフィルム収納カートン１には、蓋体８の端部から降りて上記垂れ壁部９の両側に連続するように位置する横垂れ壁部１２があり、上面部７を閉じたときにはこの横垂れ壁部１２が側面部６に重なるものである。さらに垂れ壁部９の下端には分離可能にして切断刃保護兼開封片部１３が連接されている（図２）。切断刃保護兼開封片部１３はこのラップフィルム収納カートン１が未使用の時点まで上記前面部３に分離可能に貼り付けられて切断刃１１を保護するものであり、この切断刃保護兼開封片部１３を取り除くことで蓋体８の開きが可能となり、切断刃１１も表出するようになる。
なお、上記側面部６それぞれには折込み１４が位置してフィルム巻き体収納空間１０側に折り入れられ、フィルム巻き体Ａが持ち上がるときに巻き芯Ｃに折込み１４が係止してカートン本体２から飛び出るのを防止するようにしている。また、上記前面部３の上辺にはフィルム巻き体収納空間１０側に折り倒された案内片部１５が連接されていて、この案内片部１５は、フィルム引き出し時に前面部３、底面部４、後面部５、上面部７の順に周面が巡るように回転するフィルム巻き体Ａの頂部からラップフィルムＢが適正に離れて前面部３の上辺に達するようにするために、下方からラップフィルムＢを支持するものである。
【０００８】
図１に示すようにこのラップフィルム収納カートン１のフィルム巻き体収納空間１０には、巻き戻り受け用フラップ１６が設けられている。この巻き戻り受け用フラップ１６は、取付片１７を折り部１８を介して有しており（図４）、その取付片１７を後面部５に貼着し（図５参照）、後面部５の上辺の位置を基端としてこの後面部５からフィルム巻き体Ａの頂部を経て略円弧状の先端部分が上記案内片部１５側に及ぶように延設されたものである。
そして、未開封の時点においてこの上記蓋体８のフィルム巻き体収納空間１０側に位置しているが、巻き戻り受け用フラップ１６の厚さによるフィルム巻き体Ａ側への段部が形成されないようにカートン本体２には凹陥部１９が形成されている。図３はその凹陥部１９が型押しされたブランクを示していて、巻き戻り受け用フラップ１６及び取付片１７を位置させる凹陥部１９が後面部５の部分から蓋体８の部分にかけて位置し、後面部５及び蓋体８において外方に向けて凸となるように型押し形成されている。なお、製函する際の折り部分には折り罫ａが位置しているが、凹陥部１９における後面部５と蓋体８との境界には折り罫を設けない。
このようにして形成された凹陥部１９に巻き戻り受け用フラップ１６と取付片１７が位置しており、これらの厚みが段部としてフィルム巻き体Ａ側に突出しないようにしている。これによって、フィルム巻き体収納空間１０の基本形状（凹陥部が位置しない部分）に対応する最大巻き径のフィルム巻き体Ａをカートン本体２に収納しても巻き戻り受け用フラップ１６と取付片１７とが単独でフィルム巻き体Ａに接触することが防止され、製函時におけるフィルム巻き体Ａの横入れも適正に行なえるものとなる。
【０００９】
図４で巻き戻り受け用フラップ１６と取付片１７とを展開した状態で示しており、ラップフィルム収納カートン１が未開封の状態のときは両者の間の折り部１８で折り曲げられた状態となっているが、その折り部位置に対応する凹陥部の位置に折り罫が設けられずに緩やかに曲がるものとなっていることから（図５）、巻き戻り受け用フラップ１６の基端では鋭角な折れ曲がりとなるほどの曲げが形成されておらず、ラップフィルム収納カートン１を開封して蓋体８を開くと、巻き戻り受け用フラップ１６が起き上がるように設けられている。
そして、巻き戻り受け用フラップ１６の基端には折り部１８と同じ高さ位置にして切り込み爪からなる付勢手段２０が設けられていて、開封後に使用者が巻き戻り受け用フラップ１６を基端からフィルム巻き体Ａ側に折り倒したときに付勢手段２０が蓋体８の回動基端側に移動して係止し（図６）、この蓋体８との係止によって巻き戻り受け用フラップ１６をフィルム巻き体Ａ側に付勢するように設けられているものである。この付勢手段２０を係止状態に移行させる操作を行ない易くするために、基端の折り部１８から若干離れた位置に谷折りとする第二の折り部１８が設けられており、この第二の折り部１８で谷折りとなるように折り込むことで前記付勢手段２０を簡単に係止状態に移行させることができる。
そしてこのように付勢手段２０による付勢状態に移行した以降は、付勢手段２０の蓋体８の基端に対する係止関係が自然には解消されず、継続的に巻き戻り受け用フラップ１６が或る程度の付勢力を作用させた状態でフィルム巻き体Ａの頂部近傍に当接する。これによって、仮にラップフィルムＢの切断部分がカートン本体２の内部に折り返されることがあっても、その切断部分が巻き戻り受け用フラップ１６の上に重なることになり、つぎのラップフィルムの引き出しに際しては、巻き戻り受け用フラップ１６に重なっている部分を摘み持って引き出すようにすればよく、引き出しが容易に行なえる。
【００１０】
上記実施の例では、使用者が使用開始時に巻き戻り受け用フラップ１６を倒してフィルム巻き体Ａへの付勢力を生じさせるようにしたが、本発明はこれに限定されるものではない。図７から図１１の第二の例を示していて、上記実施の例とは付勢手段２０と第二の折り罫が部けられていない点で相違している。この例では巻き戻り受け用フラップ１６がその基端の折り部１８の位置から確実に折り曲げられて案内片部１５の位置に及ぶように延設されているもので、基端で生じた折り癖によってフィルム巻き体Ａの頂部上方に位置するようにしているものである（図７、図１０参照）。このように巻き戻り受け用フラップ１６を折り部１８から確実に折り曲げられるようにするために、この例における前記折り部１８は半切れやミシン目から形成されている。よって、カートン本体２が製函されるときに半切れやミシン目からなる折り部１８で巻き戻り受け用フラップ１６が抵抗無く折り曲げられ、さらに鋭角に曲がった折り部１８での前記折り癖が保たれ易いようになる。
この例においても巻き戻りが生じた場合、ラップフィルムＢの切断部分が巻き戻り受け用フラップ１６に重なることになり、つぎのラップフィルム引き出しに際しての摘み持つ部分が確実に確保できるものとなる。
この実施の例においては底面部４にも型押しが行われているが（図８、図１０）、その底面部４にかかる領域はフィルム巻き体収納空間１０に向けて突出する凹陥部２１が形成されており、図１１に示すように、ラップフィルム収納カートン１を上下に積み重ねたときに、下位のラップフィルム収納カートン１の凹陥部１９（巻き戻り受け用フラップ１６が位置する部分で外方に向けて凸となる部分）が、上位のラップフィルム収納カートン１の底面部４の前記凹陥部２１に入り込むようになり、積み重ね状態が安定するようにしているものである。
【００１１】
なお、上記第一の例における凹陥部１９は、巻き戻り受け用フラップ１６と取付片１７とが配置できるようにこの巻き戻り受け用フラップ１６と取付片１７との連続形状に同じ形状としているが、巻き戻り受け用フラップ１６と取付片１７とが配置できる形状であればよく、図示した形状より大型の形状としてもよい。また、第二の例における巻き戻り受け用フラップ１６が位置する蓋体８での凹陥部１９と底面部４の凹陥部２１とを横長の大型形状とし、後面部５での凹陥部１９の形状を取付片１７の形状に対応させているが、第一の例の場合も含めて、これら凹陥部１９と凹陥部２１の形状は、巻き戻り受け用フラップ１６と取付片１７の配置に支障をきたさないという条件の下で、カートン本体２の外表面のデザインなどに適合した形状に設定することができる。
【図面の簡単な説明】
【００１２】
【図１】本発明に係るラップフィルム収納カートンの一例をカートン本体上面部が開の状態で示す説明図である。
【図２】一例の未開封状態を示す説明図である。
【図３】一例のブランクを示す説明図である。
【図４】一例の巻き戻り受け要フラップを示す説明図である。
【図５】一例において蓋体を閉じた状態を示す説明図である。
【図６】巻き戻り受け用フラップにフィルムの切断部分が重なる状態を示す説明図である。
【図７】他の例を示す説明図である。
【図８】他の例におけるブランクを示す説明図である。
【図９】他の例における巻き戻り受け用フラップを示す説明図である。
【図１０】巻き戻り受け用フラップにラップフィルムの切断部分が重なる状態を示す説明図である。
【図１１】他の例における積み重ね状態を示す説明図である。
【符号の説明】
【００１３】
１…ラップフィルム収納カートン
２…カートン本体
３…前面部
４…底面部
５…後面部
６…側面部
８…蓋体
１０…フィルム巻き体収納空間
１５…案内片部
１６…巻き戻り受け用フラップ
１７…取付片
１８…折り部
１９…凹陥部
２０…付勢手段
２１…凹陥部
Ａ…フィルム巻き体
Ｂ…ラップフィルム
【図１】
2005029209.tif 000003
【図２】
2005029209.tif 000004
【図３】
2005029209.tif 000005
【図４】
2005029209.tif 000006
【図５】
2005029209.tif 000007
【図６】
2005029209.tif 000008
【図７】
2005029209.tif 000009
【図８】
2005029209.tif 000010
【図９】
2005029209.tif 000011
【図１０】
2005029209.tif 000012
【図１１】
2005029209.tif 000013